(57)【要約】      （修正有）【課題】簡単な構成で携帯性に優れた汎用的な計算尺の構造を提供する【解決手段】可撓性・弾力性を有する帯状板片からなる本体と、前記本体の少なくとも一方の面部に、長手方向に延出して設けた複数の目盛りと、を備え、前記複数の目盛りには、前記本体を輪状に曲げることで２つの目盛りを相対させて計算尺を構成する少なくとも１つの目盛り対が含まれている。好ましくは、前記目盛り対を構成する一方の目盛りは、前記本体の長手方向の一方の半部に設けられ、前記目盛り対を構成する他方の目盛りは、前記本体の長手方向の他方の半部に設ける。【選択図】図１
0003127956.tif 000002
【実用新案登録請求の範囲】
【請求項１】
可撓性・弾力性を有する部位を少なくとも一部に有する帯状板片からなる本体と、
前記本体の少なくとも一方の面部に、長手方向に延出して設けた複数の目盛りと、
を備え、
前記複数の目盛りには、前記本体を輪状に曲げることで２つの目盛りを相対させて計算尺を構成する少なくとも１つの目盛り対が含まれている、計算尺。
【請求項２】
前記目盛り対を構成する一方の目盛りは、前記本体の長手方向の一方の半部に設けられ、前記目盛り対を構成する他方の目盛りは、前記本体の長手方向の他方の半部に設けてある、請求項１に記載の計算尺。
【請求項３】
前記帯状板片は、全体が可撓性・弾力性を有している、請求項１，２いずれかに記載の計算尺。
【請求項４】
前記目盛り対が設けられた部位は硬質部材から形成されており、前記目盛り対が設けられた部位間に位置する部位が可撓性・弾力性を有しており、前記本体を輪状に曲げることで２つの目盛りを相対させた時に、前記目盛り対が設けられた部位は、平面状に重なり合う、請求項２に記載の計算尺。
【請求項５】
前記本体の長手方向の少なくともいずれか一方の端部から長手方向に延びる切込みが形成されており、切込みによって分割された各部位の少なくとも一方には前記目盛り対を形成する一方の目盛りが形成されている、請求項１乃至４いずれかに記載の計算尺。
【請求項６】
前記目盛り対を形成する２つの目盛りにおいて、一方の目盛りは他方の目盛りに対して傾斜状に延出している、請求項１乃至４いずれかに記載の計算尺。
【請求項７】
前記本体は、長手方向中央部位において折り畳み曲可能である、請求項１乃至６いずれかに記載の計算尺。
【請求項８】
前記目盛り対を形成する２つの目盛りは、互いに反対方向に順次大きくなるように刻設されている、請求項１乃至７いずれかに記載の計算尺。
【請求項９】
前記本体の両面には、長辺に沿って前記目盛り対以外の複数の目盛りが刻設されており、前記長辺に沿って刻設された複数の目盛りは、複数の縮尺スケール（ｍ）、複数の縮尺スケール（ｉｎｃｈ）、クラックスケールを含んでいる、請求項１乃至８いずれかに記載の計算尺。
【考案の詳細な説明】
【技術分野】
【０００１】
本考案は、計算尺に係り、詳しくは、簡単な構成で携帯性に優れた計算尺に関するものである。
【背景技術】
【０００２】
計算尺は、対数の原理を利用したアナログ式の計算用具であるが、近年において、加減乗除から平方根、二乗計算や複雑な関数計算に到るまで、手軽かつ容易に解答を得ることができる電卓の普及により、「そろばん」や「暗算」などとともに「忘れられた計算道具」の一つとして挙げられ、計算尺の製造メーカが現在ほとんど存在しないことから、計算尺が入手困難に陥っているのが現状である。
【０００３】
計算尺には、棒状（スライドタイプ）と円盤状の２種類がある。特許文献１乃至４には棒状の計算尺が開示されている。特許文献５乃至７には円盤状の計算尺が開示されている。計算尺の基本的構成については成熟した感があり、計算尺の汎用的な構成については改良が止まってしまっているのが実情である。これに関連して、特許文献１乃至７に記載された計算尺は、いずれも特定の測定対象に対応するように計算尺を構成した点に特徴を有するものであり、新規の汎用的な構成を提示するものではない。
【０００４】
しかしながら、棒状あるいは円盤状の従来の計算尺の構造は複数の部品から構成されており、その大きさも比較的大きく、これを携帯することを考えた場合には、決して適しているとは言えない。したがって、現場において、簡単な構成で携帯性に優れた計算尺があれば便利である。
【０００５】
さらに、例えば、建築、機械、土木などの設計開発や製造現場、作業現場では、縮尺図面の作成、読み取りに使用する縮尺スケールや、亀裂の幅を測定するクラックスケール、あるいは乗除計算、対数計算等を行う計算尺をはじめとして、多くの測定、測長用具が使用されているが、上記のように複数の用具を必要とする現場に移動する際には、これらの用具を持参することは煩わしく、また移動中や作業中に誤って用具を落下させたり、接触させることによって用具自体の破損や精度低下を来す惧れがあった。したがって、縮尺スケール、クラックスケール等の機能と共に計算尺の機能を取り込んだ使用構造で、携帯し易くかつ安価な多目的尺があれば便利である。
【特許文献１】実開平６−５６８１５
【特許文献２】実開平６−５６８４９
【特許文献３】特開平９−２８２４０１
【特許文献４】特開２００６−１６７０２８
【特許文献５】特開２０００−４７７４７
【特許文献６】特開２００２−３５１２３
【特許文献７】特開２００３−９１３２６
【考案の開示】
【考案が解決しようとする課題】
【０００６】
本考案は、簡単な構成で携帯性に優れた汎用的な計算尺の構造を提供すること目的とするものである。本考案の他の目的は、縮尺スケール、クラックスケール等の機能と共に計算尺の機能を取り込んだ使用構造で、携帯し易くかつ安価な多目的尺を提供することにある。
【課題を解決するための手段】
【０００７】
課題を解決するため本考案が採用した技術手段は、可撓性・弾力性を有する部位を少なくとも一部に有する帯状板片からなる本体と、前記本体の少なくとも一方の面部に、長手方向に延出して設けた複数の目盛りと、を備え、前記複数の目盛りには、前記本体を輪状に曲げることで２つの目盛りを相対させて計算尺を構成する少なくとも１つの目盛り対が含まれている、計算尺、である。
【０００８】
本考案は、本体を輪状に曲げることで2つの目盛りを組み合わせて所望の計算を行う点に特徴を有している。本考案に係る計算尺は、例えば、乗除算、平方根、三角関数（正弦や余弦）の計算に用いられる。どのような目盛りを組み合わせることでこれらの計算が可能であるかは当業者において公知である。例えば、対数目盛り対を用いて乗除算を行うことができる。この場合、前記目盛り対を形成する２つの目盛りは、互いに反対方向に順次目盛りが大きくなるように刻設されている。一つの態様では、前記帯状板片は、全体が可撓性・弾力性を有している。また、輪状に曲げる際に、目盛り対が設けられた部位が湾曲面として重なり合うような場合には、誤差を予め調整して目盛りを作成しておくことが望ましい。また、本体に長さ方向にスライド自在のカーソルを設けることで読み取り精度を向上させてもよい。
【０００９】
一つの好ましい態様では、前記目盛り対を構成する一方の目盛りは、前記本体の長手方向の一方の半部に設けられ、前記目盛り対を構成する他方の目盛りは、前記本体の長手方向の他方の半部に設けてある。こうすることで、本体を輪状に曲げた時の目盛り対の相対を容易に行うことができる。さらに、一つの態様では、前記目盛り対が設けられた部位は硬質部材から形成されており、前記目盛り対が設けられた部位間の中間部位が可撓性・弾力性を有しており、前記本体を輪状に曲げることで２つの目盛りを相対させた時に、前記目盛り対が設けられた部位は、平面状に重なり合うようになっている。このものでは、目盛り対が設けられた部位が湾曲しないので、板片の厚みに起因する誤差が生じることがない。さらに、好ましい態様では、前記本体は、長手方向中央部位において折り畳み曲可能である。こうすることで、携帯性を向上させることができる。この場合、折曲部位には目盛りを設けないことが好ましい。後述する実施例では、クラックスケールのみが折曲部位を跨いだ刻設されている。
【００１０】
一つの好ましい態様では、前記本体の長手方向の少なくともいずれか一方の端部から長手方向に延びる切込みが形成されており、切込みによって分割された各部位の少なくとも一方には前記目盛り対を形成する一方の目盛りが形成されている。切込みによって分割された部位（細幅片）に目盛り対を構成する一方の目盛りを設けることで、本体を輪状に曲げた時の目盛り対の相対を容易に行うことができる。さらに、切込みによって複数の細幅片を形成することで、前記本体における長辺（本明細書において、本体の長辺には、切込みに面する細幅片の辺が含まれる）の数を増やすことができ、目盛りの数を増やすことができる。切込みは、本体の一方の端部から２本以上形成してもよい。切込みは、本体の両方の端部に形成してもよい。
【００１１】
一つの好ましい態様では、前記目盛り対を形成する２つの目盛りにおいて、一方の目盛りは他方の目盛りに対して傾斜状に延出している。こうすることで、本体を輪状に曲げた時の目盛り対の相対を容易に行うことができる。
【００１２】
一つの好ましい態様では、前記本体の両面には、長辺に沿って前記目盛り対以外の複数の目盛りが刻設されており、前記長辺に沿って刻設された複数の目盛りは、複数の縮尺スケール（ｍ）、複数の縮尺スケール（ｉｎｃｈ）、クラックスケールを含んでいる。
【考案の効果】
【００１３】
本考案によれば、簡単な構成で携帯性に優れた汎用的な計算尺の構造を提供することができる。また、簡易で携帯性に優れた構成でありながら、各種のスケール機能および計算尺機能をコンパクトに収納して、技術現場において必要十分な精度を確保しつつ広い用途で手軽に使用できる多目的尺を安価に提供することができる。
【考案を実施するための最良の形態】
【００１４】
本考案について、携帯性に優れたの高い構成でありながら、技術現場において必要十分な各種のスケール機能および計算尺機能を備えた多目的尺に基づいて説明する。多目的尺の本体は、可撓性・弾力性を有する帯状板片から構成されており、本体はその可撓性によって素手で簡単に曲げることが可能であると共に、外力を除去すれば弾力性によって元の状態に復帰する。帯状板片を構成する材質は限定されず、合成樹脂、紙（表面に樹脂コーティングしたものを含む）、金属が例示される。
【００１５】
本体の両面部には、長手方向に延出する多種類の目盛りが設けてある。目盛りの多くは、本体の長辺に沿って刻設されているが、長辺から離間した面域に目盛りを刻設してもよい（この場合には、カーソルを設けることが望ましい）。後述するように、本体の長手方向端部の短辺から長手方向中央部に向かって切込みが形成されている場合には、切込みに面する長辺に目盛りが刻設される。切込みの数を増やすことで、切込みに面する長辺の数を増やすことができ、長辺から離間した面域に目盛りを刻設することなく（カーソルを設ける必要もない）、多数の目盛りを刻設することができる。前記多数の目盛りには、少なくとも一つの目盛り対が含まれている。目盛り対を構成する２つの目盛りは、前記本体を輪状に曲げることで相対して計算尺を構成する。
【実施例１】
【００１６】
図１および図２において、１は本考案の多目的尺であって、該多目的尺１は、紙の表面に合成樹脂をコーティングした薄板を基材とする尺本体２の表面Ｘおよび裏面Ｙに、後述する複数種の目盛り（実施例では１６種）を、長辺３、４の各辺と、尺本体２の一方の短辺５から各面X、Yの略中央位置まで進入させた切込み６で区画される細幅片７、８（切込み６に面する長辺）にそれぞれ刻設して構成されている。また裏面Yの中央領域に空欄部を形成することで、かかる空欄部をメモ領域として用いることが可能である。各目盛りについて、以下に具体的に説明する。
【００１７】
（１）縮尺目盛りａ：縮尺１／１００（単位：ｍ）
（２）縮尺目盛りｂ：縮尺１／２００（単位：ｍ）
（３）縮尺目盛りｃ：縮尺１／２５０（単位：ｍ）
（４）縮尺目盛りｄ：縮尺１／３００（単位：ｍ）
（５）縮尺目盛りｅ：縮尺１／５００（単位：ｍ）
（６）縮尺目盛りｆ：縮尺１／６００（単位：ｍ）； ｔａｎ（正接）目盛りＤとの組み合わせでｔａｎを計算。
上記の縮尺目盛りａ〜ｆは、それぞれの縮尺に対応する図面、地図等の長さを読み取る場合、および書き出しを行う場合に使用する（縮尺スケール機能）。
【００１８】
（７）ｉｎｃｈ目盛りｇ：実寸をｉｎｃｈで測定（単位：ｉｎｃｈ）
（８）縮尺目盛りａ２：縮尺目盛りａの０.７０７倍（単位：ｍ）
（９）縮尺目盛りｂ２：縮尺目盛りｂの０.７０７倍（単位：ｍ）
（１０）縮尺目盛りｃ２：縮尺目盛りｃの０.７０７倍（単位：ｍ）
（１１）縮尺目盛りｅ２：縮尺目盛りｅの０.７０７倍（単位：ｍ）；計算尺Ｂとの組み合わせで常用対数を計算；√（平方根）目盛りＣとの組み合わせで平方根を計算。
上記のうち、縮尺目盛りａ２〜ｅ２は、図面、地図等を複写機で縮小コピーした場合（例えば、Ａ２→Ａ３に縮小された図面やＢ２→Ｂ３に縮小された図面）、その長さを読み取る際に使用する（縮尺スケール機能）。
なお、上記縮尺目盛りの「０.７０７倍」は、用紙サイズがＡサイズまたはＢサイズで同系列の縮小コピーがなされた場合の縮小率に基づくものであり、用紙サイズが異系列（例えばＡ２→Ｂ３の縮小コピー）の場合は、「０.８６６倍」の縮尺率に目盛りを設定すれば良く、縮尺目盛りａ２〜ｅ２の縮小率の選択、組み合わせは、尺本体２の表面Ｘおよび裏面Ｙの面域でレイアウトが可能であれば、これら縮尺目盛りａ２〜ｅ２の設定、配置を任意に行うことができる。
【００１９】
（１２）計算尺Ａ（対数目盛り）：計算尺Ｂとの組み合わせで乗除を計算。 
（１３）計算尺Ｂ（対数目盛り）：計算尺Ａとの組み合わせで乗除を計算； 縮尺目盛りｅ２との組み合わせで常用対数を計算。
（１４）√（平方根）目盛りＣ：縮尺目盛りｅ２との組み合わせで平方根を計算。
（１５）ｔａｎ（正接）目盛りＤ：縮尺目盛りｆとの組み合わせでｔａｎを計算。
（１６）亀裂幅目盛りＥ：亀裂幅（実寸）を測定（単位：ｍｍ）；クラックスケールとして機能。
【００２０】
次に、上述の縮尺スケール機能を除く多目的尺１の具体的な使用方法を、図３〜図５に基づいて説明する。
先ず、計算尺Ａ、Ｂを使用して乗除計算を行う際には、図３（ａ）に示すように、多目的尺１の表面Ｘの細幅片８側を後方から反時計方向に回して、当該表面Ｘの計算尺Ａの前面位置まで輪状に重ね合わせる。
そして、乗算を行う場合に、例えば「４ｘ２」の計算を行う時は、計算尺Ａの「４」の目盛りを、計算尺Ｂの「２」の目盛りに合わせ、計算尺Ｂの「１」または「１０」に相対する計算尺Ａの数値が答えの「８」となる（同図（ｂ））。
除算を行う場合には、例えば「９÷３」の計算を行う時は、計算尺Ｂの「９」の目盛りを、計算尺Ａの「１」の目盛りに合わせ、当該計算尺Ａの「３」（割る数字）に相対する計算尺Ｂの数値が答えの「３」となる（同図（ｃ））。
なお、上述の例では、単純な整数計算を示したが、桁数が複数あるいは小数点以下の数値を含む乗除計算では、計算結果の「桁」に関しては自分で仕切り直す必要があり、また有効桁数も３桁〜４桁程度であることは、従来の棒状計算尺と同様である。
【００２１】
図４（ａ）は、切込み６を介して相対する細幅片７の縮尺目盛りｅ２と、細幅片８の計算尺Ｂを利用した常用対数の計算結果を求める場合を示し、上記縮尺目盛りｅ２の目盛り「０〜１００」は「０〜１.０」として読み替えて計算を行うものである。
ここで、例えば「ｌｏｇ６」の計算を行う場合は、計算尺Ｂの「６」に相対する縮尺目盛りｅ２の目盛り「０.７７８」が計算結果となる。なお、この常用対数の計算についても、例えば「ｌｏｇ６０」の計算結果は「１.７７８」、「ｌｏｇ６００」の計算結果は「２.７７８」というように、計算結果の第１桁に関して数値の増減を行うことは、従来の棒状計算尺による常用対数計算と同様となる。
【００２２】
図４（ｂ）（ｃ）は、√（平方根）目盛りＣと縮尺目盛りｅ２を利用して平方根の計算結果を求める場合を示すものである。
この計算を行う際には、図１（ａ）に示す多目的尺１を図視で時計方向に１８０度回転した後に、図４（ｂ）に示すように、多目的尺１の表面Ｘの細幅片７側を後方から時計方向に回して、当該表面Ｘの√（平方根）目盛りＣの前面位置まで縮尺目盛りｅ２を輪状に重ね合わせる。
そして、√（平方根）目盛りＣの「０」に縮尺目盛りｅ２の「０」を一致させた状態で、例えば√（３６）の計算結果は、縮尺目盛りｅ２の「３６」に相対する√（平方根）目盛りＣの「６」として求まる。なお、３桁以上の数値の場合、例えば√（５２９００）の計算結果は、小数点から２桁ごとに区切り（５,  ２９,  ００）、この例では区切った回数の「２」を記憶しておき、縮尺目盛りｅ２の「５.２９」に相対する√（平方根）目盛りＣの「２.３」を読み取った後に、区切った回数「２」だけ数値「２.３」の桁を上位に上げた「２３０」が計算結果となる。
【００２３】
また、上述の√（平方根）目盛りＣの「０」に縮尺目盛りｅ２の「０」を一致させた状態で、例えば４の２乗を計算するときは、上記とは逆に、√（平方根）目盛りＣの数値「４」に相対する縮尺目盛りｅ２の数値「１６」がそのまま計算結果となる。この２乗計算の場合にも、２乗する数値によっては計算結果に対する桁上げ、桁下げの仕切り直しは必要となる。
【００２４】
図５は縮尺目盛りｆとｔａｎ（正接）目盛りＤとの組み合わせでｔａｎを計算する場合を示すものであって、この計算を行う際には、同図（ａ）に示すように、多目的尺１の裏面Ｙの細幅片７側を後方から反時計方向に回して、当該裏面Ｙのｔａｎ（正接）目盛りＤの前面位置まで縮尺目盛りｆを輪状に重ね合わせる。
次いで、ｔａｎ（正接）目盛りＤの「０」に縮尺目盛りｆの「０」を一致させた状態で、例えばｔａｎ２５°の計算結果は、縮尺目盛りｆの「２５」に相対するｔａｎ（正接）目盛りＤの「０.４７」（近似値）として求まることになる。そして、４５度を越える角度（α）の正接計算を行う場合には、（９０°−α）として計算を行えば良い。なお、上記のｔａｎ（正接）目盛りＤは、用途によってｃｏｓ（余弦）やｓｉｎ（正弦）の目盛りに置き換えても良い。
【実施例２】
【００２５】
図６および図７は、他の実施例を示すものであって、この実施例における多目的尺１´は、前記した実施例から （１５）ｔａｎ（正接）目盛りＤ 、（１４）√（平方根）目盛りＣを除いた構成を有しており、その他の構成、形状は前記実施例と同様としたものであり、実施例１の記載を援用することができる。
【実施例３】
【００２６】
図８〜図１０も、他の実施例を示すものであって、この実施例における多目的尺１´´では、図６、図７に示す前記実施例から、更に（８）縮尺目盛りａ２：縮尺目盛りａの０.７０７倍（単位：ｍ）；（９）縮尺目盛りｂ２：縮尺目盛りｂの０.７０７倍（単位：ｍ）；（１０）縮尺目盛りｃ２：縮尺目盛りｃの０.７０７倍（単位：ｍ）；（１１）縮尺目盛りｅ２：縮尺目盛りｅの０.７０７倍（単位：ｍ）を除いた構成を有して、前述の各実施例における多目的尺１、１´に比してよりシンプルな構成となっている。特に、計算尺機能では、計算尺Ｂの目盛りが表面Ｘ上で傾斜状に刻設されており、図１０（ａ）に示すように、表面Ｘの計算尺Ａ側を後方から反時計方向に回して、当該表面Ｘの計算尺Ｂの前面位置まで輪状（螺旋状）に重ね合わせることにより、同図（ｂ）（ｃ）に示す計算尺として乗除計算が行えるようになっている。
【産業上の利用可能性】
【００２７】
本考案は、汎用的な計算尺として利用可能である。
【図面の簡単な説明】
【００２８】
【図１】（ａ）は多目的尺の平面図、（ｂ）は同正面図、（ｃ）は同底面図、（ｄ）は同折り畳んだ状態を示す図である。
【図２】（ａ）は多目的尺の左半部を示す要部拡大平面図、（ｂ）は同右半部を示す要部拡大平面図、（ｃ）は同左半部を示す要部拡大底面図、（ｄ）は同右半部を示す要部拡大底面図である。
【図３】（ａ）は多目的尺の使用状態を示す斜視図、（ｂ）、（ｃ）は使用状態を示す要部拡大図である。
【図４】（ａ）は使用状態を示す要部拡大図、（ｂ）は多目的尺の使用状態を示す斜視図、（ｃ）は使用状態を示す要部拡大図である。
【図５】（ａ）は多目的尺の使用状態を示す斜視図、（ｂ）は使用状態を示す要部拡大図である。
【図６】（ａ）は他の実施例における多目的尺の平面図、（ｂ）は同正面図、（ｃ）は同底面図である。
【図７】（ａ）は他の実施例における多目的尺の左半部を示す要部拡大平面図、（ｂ）は同右半部を示す要部拡大平面図、（ｃ）は同左半部を示す要部拡大底面図、（ｄ）は同右半部を示す要部拡大底面図である。
【図８】（ａ）は他の実施例における多目的尺の正面図、（ｂ）は同右側面図、（ｃ）は同背面図である。
【図９】（ａ）は多目的尺の上半部を示す要部拡大正面図、（ｂ）は同下半部を示す要部拡大正面図、（ｃ）は同上半部を示す要部拡大背面図、（ｄ）は同下半部を示す要部拡大背面図である。
【図１０】（ａ）は多目的尺の使用状態を示す斜視図、（ｂ）、（ｃ）は使用状態を示す要部拡大図である。
【符号の説明】
【００２９】
１      多目的尺 
２      尺本体 
３      長辺 
４      長辺 
ａ〜ｆ  縮尺目盛り 
Ａ      対数目盛り 
Ｂ      対数目盛り 
Ｃ      √（平方根）目盛り 
Ｄ      ｔａｎ（正接）目盛り 
Ｅ      亀裂幅目盛り 
Ｘ      表面 
Ｙ      裏面 
【図１】
0003127956.tif 000003
【図２】
0003127956.tif 000004
【図３】
0003127956.tif 000005
【図４】
0003127956.tif 000006
【図５】
0003127956.tif 000007
【図６】
0003127956.tif 000008
【図７】
0003127956.tif 000009
【図８】
0003127956.tif 000010
【図９】
0003127956.tif 000011
【図１０】
0003127956.tif 000012
【手続補正書】
【提出日】平成18年10月25日(2006.10.25)
【手続補正１】
【補正対象書類名】実用新案登録請求の範囲
【補正対象項目名】請求項９
【補正方法】変更
【補正の内容】
【請求項９】
前記本体の両面には、長辺に沿って前記目盛り対以外の複数の目盛りが刻設されており、前記長辺に沿って刻設された複数の目盛りは、複数の縮尺スケール、複数の縮尺スケール、クラックスケールを含んでいる、請求項１乃至８いずれかに記載の計算尺。